(57)【要約】      （修正有）【課題】戸車を引戸の戸締り側の端部近くまで移動させることができる引込み装置を提供する。【解決手段】走行体が前記ロック機構から離間しているとき、ロック機構がケースに対してスライドしないように、ロック機構のケース側係合部３６ａがケースに引っ掛かる。一方、走行体７がロック機構に接近してロック機構の当接片３６ｃに当接したとき、コイルばねが走行体を保持したロック機構を引き込むことができるように、ロック機構のケース側係合部３６ａがケースに引っ掛かるのが外れると共に、ロック機構の走行体側係合部３６ｂが走行体の本体部９に引っ掛かる。走行体は、引戸が吊り下げられる本体部９と、本体部９に設けられる戸車１０と、を有する。ロック機構の走行体側係合部３６ｂは、戸車１０の回転軸線Ｃよりも戸開き側の本体部９に引っ掛かる。【選択図】図１４
2008285942.tif 000002
【特許請求の範囲】
【請求項１】
引戸が吊り下げられる走行体と、
前記走行体がスライドするのを案内する走行体案内部を有すると共に、前記走行体を保持するロック機構がスライドするのを案内するロック機構案内部を有するケースと、
前記ケースにスライド可能に組み込まれ、前記ケースに引っ掛かることができるケース側係合部と、及び前記走行体に引っ掛かることができる走行体側係合部と、を有するロック機構と、
前記ケースと前記ロック機構との間に掛け渡され、前記ロック機構を前記ケースの奥に引き込む弾性体と、を備え、
前記走行体が前記ロック機構から離間しているとき、前記弾性体のばね力に抗して前記ロック機構が前記ケースに対してスライドしないように、前記ロック機構の前記ケース側係合部が前記ケースに引っ掛かる一方、
前記走行体が前記ロック機構に接近し、前記ロック機構の当接片に当接したとき、前記走行体を保持した前記ロック機構を前記弾性体が前記ケースの奥に引き込むことができるように、前記ロック機構の前記ケース側係合部が前記ケースに引っ掛かるのが外れると共に、前記ロック機構の前記走行体側係合部が前記走行体に引っ掛かる引戸の引込み装置において、
前記走行体は、引戸が吊り下げられる本体部と、前記本体部の引込み方向と直交する方向の両側それぞれに設けられる戸車と、を有し、
前記ロック機構の前記走行体側係合部は、最も戸締り側に位置する戸車の回転軸線よりも、戸開き側の前記本体部に引っ掛かることを特徴とする引戸の引込み装置。
【請求項２】
前記ロック機構は、
前記ケースにスライド可能に取り付けられるベースと、
前記ベースに回転可能に連結され、前記ケース側係合部及び前記走行体側係合部を有するフックと、を備え、
前記フックの前記走行体側係合部が前記本体部に引っ掛かった状態において、前記フックが前記走行体の前記本体部の上方に配置されることを特徴とする請求項１に記載の引戸の引込み装置。
【請求項３】
引戸が収容される枠体と、
前記枠体に取り付けられ、前記走行体が直線的にスライドするのを案内する直線レールと、
前記走行体が前記直線レールから前記ケースの走行体案内部へ移行できるように、前記枠体に取り付けられる請求項１又は２に記載の引戸の引込み装置と、を備え、
前記直線レールを前記枠体に取り付けた後、前記引戸の引込み装置を前記枠体に取り付けることができることを特徴とする引戸装置。
【請求項４】
開いた状態の引戸を垂直面と平行を保ったまま前記垂直面の奥側又は手前側に配置する一方、閉じた状態の引戸の表面を前記垂直面とフラットにすることができるように、前記ケースの前記走行体案内部は、前記直線レールに対して傾斜することを特徴とする請求項３に記載の引戸装置。
【発明の詳細な説明】
【技術分野】
【０００１】
本発明は、引戸を戸締り側の端部まで自動的に引き込む引戸の引込み装置、並びにこの引込み装置を組み込んだ引戸装置に関する。
【背景技術】
【０００２】
従来から、引戸を自動的に戸締り側の端部まで移動させる引戸の引込み装置が知られている。
【０００３】
この種の引込み装置として、特許文献１には、図１８に示されるように、戸車を保持するロック機構５１と、ロック機構５１がスライドするのを案内するケース５２と、ケース５２とロック機構５１との間に掛け渡されるコイルばね５３と、から構成される引込み装置が開示されている。図中（Ａ）に示されるように、引戸が吊り下げられた戸車５４が引込み装置に向かって移動する。図中（Ｂ）に示されるように、戸車５４がロック機構５１に当接すると、図中（Ｃ）に示されるように、ロック機構５１が時計方向に回転する。ロック機構５１の回転によって、ロック機構５１とケース５２との引っ掛かりが外れると共にロック機構５１が戸車５４に引っ掛かる。図中（Ｄ）に示されるように、コイルばね５３の引っ張り力によって、ロック機構５１に保持された戸車５４が戸締り側に自動的に移動する。
【０００４】
図１９は、特許文献１に記載の引込み装置を引込み方向からみた状態を示す。一つの開口に設けられる左右二枚の引戸５５に対応して、引込み装置５８も二組設けられている。左右二枚の引戸５５の戸車５４の側面には、戸車５４の軸線方向に突出する作動軸５６が設けられる。作動軸５６が引込み装置のロック機構５１に当接することによって、ロック機構５１が回転し、ロック機構５１とケース５２との引っ掛かりが外れる。
【０００５】
他方、特許文献２には、図２０に示されるように、走行体６１を保持できるロック機構６２と、ロック機構６２がスライドするのを案内するケース６３と、ケース６３とロック機構６２との間に介在されるコイルばね６４と、から構成される引込み装置６８が開示されている。引戸６５は、案内レールに沿ってスライドする走行体６１に吊り下げられている。走行体６１は、本体部６１ａと、本体部６１ａの両側に配置される四つの戸車６６とから構成される。走行体６１の本体部６１ａには、引込み装置６８に向かって突き出る腕部６１ｂが設けられる。
【０００６】
特許文献２に記載の引込み装置において、図２１（Ａ）に示されるように、走行体６１が引込み装置６８に向かって移動する。図２１（Ｂ）に示されるように、本体部６１ａの腕部６１ｂがロック機構６２のフック６９の当接片６９ａに当接すると、図２１（Ｃ）に示されるように、ロック機構６２のフック６９が回転する。フック６９の回転によってフック６９とケース６３との引っ掛かりが外れる。そしてフック６９とケース６３との引っ掛かりが外れると、図２１（Ｄ）に示されるように、コイルばね６４がロック機構６２を引込み方向に自動的に引き込む。走行体６１の腕部６１ｂがフック６９に引っ掛かっているので、走行体６１もロック機構６２と同時に引き込まれる。
【特許文献１】特開２００２−３３９６４９号公報（図３、図７参照）
【特許文献２】特開２００５−１７１４８２号公報（図１、図１３、図１４参照）
【発明の開示】
【発明が解決しようとする課題】
【０００７】
しかし、特許文献１に記載の引込み装置にあっては、ロック機構が戸車の軸線方向に突出する作動軸を保持するので、戸車を引き込むとき、戸車に垂直線の周りのモーメントが働く。このモーメントは戸車の動きを悪くする。
【０００８】
また特許文献２に記載の引込み装置にあっては、走行体の引込み方向に腕部を突出させ、腕部の先端をロック機構のフックに係合させるので、腕部の長さの分だけ走行体の戸車を戸締り側の端部まで引き込めなくなる。引戸を戸締り側の端部まで移動させるためには、腕部の長さの分だけ戸車を引戸の幅方向の端から幅方向の中央にずらして配置しなければならない。こうなると、引戸を安定して支持することができない。
【０００９】
そこで本発明は、戸車の動きも悪くなることがなく、また戸車を引戸の戸締り側の端部近くまで移動させることができる引戸の引込み装置、及びこの引戸の引込み装置を組み込んだ引戸装置を提供することを目的とする。
【課題を解決するための手段】
【００１０】
以下本発明について説明する。なお、本発明の理解を容易にするために添付図面の参照番号を括弧書きにて付記するが、それにより本発明が図示の形態に限定されるものではない。
【００１１】
上記課題を解決するために、請求項１に記載の発明は、引戸(3)が吊り下げられる走行体(7)と、前記走行体(7)がスライドするのを案内する走行体案内部(18a)を有すると共に、前記走行体(7)を保持するロック機構(34)がスライドするのを案内するロック機構案内部(33)を有するケース(31,32)と、前記ケース(31,32)にスライド可能に組み込まれ、前記ケース(31,32)に引っ掛かることができるケース側係合部(36a)と、及び前記走行体(7)に引っ掛かることができる走行体側係合部(36b)と、を有するロック機構(34)と、前記ケース(31,32)と前記ロック機構(34)との間に掛け渡され、前記ロック機構(34)を前記ケース(31,32)の奥に引き込む弾性体(40)と、を備え、前記走行体(7)が前記ロック機構(34)から離間しているとき、前記弾性体(40)のばね力に抗して前記ロック機構(34)が前記ケース(31,32)に対してスライドしないように、前記ロック機構(34)の前記ケース側係合部(36a)が前記ケース(31,32)に引っ掛かる一方、前記走行体(7)が前記ロック機構(34)に接近し、前記ロック機構(34)の当接片(36c)に当接したとき、前記走行体(7)を保持した前記ロック機構(34)を前記弾性体(40)が前記ケース(31,32)の奥に引き込むことができるように、前記ロック機構(34)の前記ケース側係合部(36a)が前記ケース(31,32)に引っ掛かるのが外れると共に、前記ロック機構(34)の前記走行体側係合部(36b)が前記走行体(7)に引っ掛かる引戸の引込み装置において、前記走行体(7)は、引戸(3)が吊り下げられる本体部(9)と、前記本体部(9)の引込み方向と直交する方向の両側それぞれに設けられる戸車(10)と、を有し、前記ロック機構(34)の前記走行体側係合部(36b)は、最も戸締り側に位置する戸車(10)の回転軸線(C)よりも戸開き側の前記本体部(9)に引っ掛かることを特徴とする引戸の引込み装置である。
【００１２】
請求項２に記載の発明は、請求項１に記載の引戸の引込み装置において、前記ロック機構(34)は、前記ケース(31,32)にスライド可能に取り付けられるベース(35)と、前記ベース(35)に回転可能に連結され、前記ケース側係合部(36a)及び前記走行体側係合部(36b)を有するフック(36)と、を備え、前記フック(36)の前記走行体側係合部(36b)が前記本体部(9)に引っ掛かった状態において、前記フック(36)が前記走行体(7)の前記本体部(9)の上方に配置されることを特徴とする。
【００１３】
請求項３に記載の発明は、引戸が収容される枠体(1)と、前記枠体(1)に取り付けられ、前記走行体(7)が直線的にスライドするのを案内する直線レール(15a,15b)と、前記走行体(7)が前記直線レール(15a,15b)から前記ケース(31,32)の走行体案内部(18a)へ移行できるように、前記枠体(1)に取り付けられる請求項１又は２に記載の引戸の引込み装置(18)と、を備え、前記直線レール(15a,15b)を前記枠体(1)に取り付けた後、前記引戸の引込み装置(18)を前記枠体(1)に取り付けることができることを特徴とする引戸装置である。
【００１４】
請求項４に記載の発明は、請求項３に記載の引戸装置において、開いた状態の引戸(3)を垂直面と平行を保ったまま前記垂直面の奥側又は手前側に配置する一方、閉じた状態の引戸(3)の表面を前記垂直面とフラットにすることができるように、前記ケース(31,32)の前記走行体案内部(18a)は、前記直線レール(15a,15b)に対して傾斜することを特徴とする。
【００１５】
ここで、垂直面とは固定された壁の壁面であってもよいし、引戸が二枚隣接して設けられた場合は、隣の引戸の表面であってもよい。
【発明の効果】
【００１６】
請求項１に記載の発明によれば、ロック機構の走行体側係合部が走行体の本体部に引っ掛かるので、走行体を引き込むときに戸車の動きが悪くなることがない。またロック機構の走行体側係合部は、戸車の回転軸線よりも戸開き側の本体部に引っ掛かるので、走行体を戸締り側の端部の近くまで移動させることができる。
【００１７】
請求項２に記載の発明によれば、ロック機構を小型にすることができる。
【００１８】
請求項３に記載の発明によれば、直線レールを枠体に取り付けた後、ユニット化された引込み装置を枠体に取り付けることができる。
【００１９】
請求項４に記載の発明によれば、引戸の表面が壁の壁面などの垂直面とフラットになるように引戸を閉じることができる。
【発明を実施するための最良の形態】
【００２０】
以下添付図面に基づいて、本発明の第一の実施形態における引戸装置を説明する。図１は表から見た引戸装置の斜視図を示し、図２は裏から見た引戸装置の斜視図を示す。引戸は四角形状の枠体１内に開閉自在に収容される。枠体１は、床部１ａと、床部１ａから上下方向に立設される一対の方立部１ｂと、方立部１ｂの上端に設けられる天井部１ｃと、から構成される。正面からみて、枠体１内のスペースの右半分は、壁２で塞がれる。引戸３は枠体１内のスペースの左半分の開口部１４を開閉する。
【００２１】
引戸３が閉じた状態では、引戸３の表面と、壁２の壁面とはフラット、すなわち同一の平面内に配置される。取手３ｂを持って引戸３を開くと、引戸３は、壁２と平行を保ったまま、開く方向（図１では右方向）かつ壁２の奥側、すなわち斜め後ろ方向にスライドする。引戸３が壁２の裏まで後退したら、引戸３は壁２と平行に一直線にスライドする。引戸３を開いた状態では、引戸３は壁２と平行を保ったまま壁２の裏に隠れる。
【００２２】
図３は引戸３の斜視図を示す。引戸３の上部には、引戸３の幅方向に所定の間隔を空けて一対のＬ字形ブラケット４，５が取り付けられる。一方のＬ字形ブラケット４の突出片４ａの長さは短く、他方のＬ字形ブラケット５の突出片５ａは長い。これら一対のＬ字形ブラケット４，５の突出片４ａ，５ａの先端部それぞれに、走行体７が取り付けられる。走行体７は、突出片４ａ，５ａから垂直方向に伸びる主軸８と、主軸８に対して水平面内で旋回可能な箱形状の本体部９と、本体部９の左右両側に設けられる一対の戸車１０と、本体部９の引込み方向の両側に取り付けられる一対の案内ローラ２４と、で構成される。走行体７の構造については後述する。
【００２３】
引戸３の下部の幅方向の端部には、案内体１１が取り付けられる。案内体１１は、引戸３に取り付けられる案内体ブラケット１２と、底面に略Ｌ字形の案内溝が形成される案内体本体部１３と、から構成される。
【００２４】
図４は、枠体１に取り付けられる直線レール及び引込み装置を示す。この図４には、枠体１を裏からみた状態が示されている。枠体１の天井部１ｃには、走行体７を案内する案内レール１５として、平行に並べた二本の直線レール１５ａ，１５ｂが取り付けられる。二本の直線レール１５ａ，１５ｂそれぞれを二つの走行体７それぞれが移動する。引戸３の幅方向に離れて配置される走行体７の移動範囲に応じて、二本の直線レール１５ａ，１５ｂは長さ方向に位置をずらして配置される。このＣ型断面の直線レール１５ａ，１５ｂ内を走行体７の戸車が走行する。走行体７の横振れを防止できるように、走行体７の案内ローラ２４は、直線レール１５ａ，１５ｂの下部の直線案内溝２５内を走行する。
【００２５】
枠体１の直線レール１５ａ，１５ｂの端には、引込み装置１８が取り付けられる。引込み装置１８は、直線レール１５ａ，１５ｂの直線案内溝２５に繋がる走行体案内部である走行体案内溝１８ａを有する。
【００２６】
走行体７の案内ローラ２４は直線レール１５ａ，１５ｂの直線案内溝２５から引込み装置１８の走行体案内溝１８ａへと移行する。走行体案内溝１８ａは、湾曲した後、直線レール１５ａ，１５ｂの直線案内部に対して傾斜する。二つの引込み装置１８に設けられる二つの走行体案内溝１８ａは互いに平行である。
【００２７】
引戸３を閉じるとき、走行体７が引込み装置１８に移動すると、引込み装置１８によって走行体７が引込み装置１８の奥の方に引き込まれる。引込み動作は、引戸３が戸締り側の端部、すなわち方立部１ｂに当接するまで続く。走行体案内溝１８ａは、直線案内溝２５に対して傾斜しているので、引戸３は戸締り側の端部にかつ壁面の手前側（図４では裏から見ているので壁２の奥側）に、すなわち斜め方向に移動する。引戸３と壁２とが干渉しないように、壁２の引戸側の端面２ａは斜めに切り欠かれている。
【００２８】
枠体１の床部１ａには、第一及び第二のピン体１６，１７が取り付けられる。第一及び第二のピン体１６，１７は、引戸３の正面からみて壁２の裏、枠体１の開口部１４から外れた位置に設けられる。第一のピン体１６は、第二のピン体１７よりも壁から離れた位置に、かつ開口部１４側に配置される。第一及び第二のピン体１６，１７はいずれも、矩形状の台座１９と、台座１９から立設する金属製の円柱部２０と、円柱部２０の上端部に被せられる樹脂製の回転部２１とからなる。回転部２１は有底円筒形状で、円柱部２０の周囲を回転することができる。これら第一及び第二のピン体１６，１７は、開閉する引戸の下部を案内する。
【００２９】
図５は引戸３の垂直方向断面図を示す。この図５には、閉じた状態の引戸３の断面図が示される。引戸３の底面には、引戸３の幅方向に細長く伸びる引戸溝３ａが形成される。引戸溝３ａには、第二のピン体１７が嵌められる。第一のピン体１６は案内体１１の案内溝１３ａに嵌められる。
【００３０】
図６は引戸３の上部断面図を示す。天井部１ｃの鴨居２２と鴨居２２との間には、二本の直線レール１５ａ，１５ｂが配置される。この二本の直線レール１５ａ，１５ｂそれぞれを二つの走行体７それぞれが走行する。走行体７には引戸３が吊り下げられる。上述したように二つのＬ字形ブラケット４，５のうち、一方の突出片４ａの長さは短く、他方の突出片５ａの長さは長い。二本の直線レール１５ａ，１５ｂを引戸３から距離をずらして配置しても、引戸３を壁２と平行を保ったままスライドさせることができる。
【００３１】
図７は、引戸３の動作を時系列で示した水平断面図である。上述したように走行体７の案内ローラ２４は、直線レール１５ａ，１５ｂの直線案内溝２５と引込み装置１８の走行体案内溝１８ａ内を走行する。そして一枚の引戸３に対して二個の走行体７が設けられるから、一枚の引戸に対して二本の直線レール１５ａ，１５ｂと二個の引込み装置１８が設けられる。
【００３２】
引戸３を閉めた状態では引戸３の表面と壁２の表面はフラットになる。引戸３を開けると、引戸３は走行体案内溝１８ａに沿って斜め奥方向にスライドする。その後、引戸３は直線案内溝２５に沿って壁２と平行に直線的にスライドする。引戸３を開けた状態では引戸３は壁２の裏に隠れる。引戸３を閉じるときは、引戸３はまず直線案内溝に沿って壁２と平行に直線的にスライドし、その後、走行体案内溝１８ａに沿って斜め前方向にスライドする。
【００３３】
図８は、引込み装置１８の分解斜視図を示す。上述した走行体案内溝１８ａは引込み装置１８の下部ケース３１に形成される。下部ケース３１と下部ケース３１に結合される上部ケース３２との間に、ロック機構３４が収容される。上部ケース３２には、ロック機構３４がスライドするのを案内するロック機構案内部であるロック機構案内溝３３が形成される。ロック機構案内溝３３は平行に直線的に延びる二本の溝からなる。
【００３４】
ロック機構３４は、上部ケース３２にスライドできるように取り付けられるベース３５と、ベース３５に回転できるように連結されるフック３６と、を有する。フック３６の回転動作は、ベース３５に固定される支持片３７に支持される。Ｌ字形状のフック３６の長辺側の先端の上部には、上部ケース３２の孔部３２ａに引っ掛かることができるケース側係合部３６ａが形成される。フック３６と支持片３７との間にはねじりばね３８が設けられる。ねじりばね３８は、フック３６のケース側係合部３６ａが上部ケース３２の孔部３２ａに引っ掛かった状態を保たせる。フック３６の長辺側の先端の下部には、走行体７の本体部９に引っ掛かることができる走行体側係合部３６ｂが形成される。Ｌ字形状のフック３６の短辺側には、走行体７の本体部９に当接する当接片３６ｃが設けられる。
【００３５】
上部ケース３２とロック機構３４のベース３５との間には弾性体としてコイルばね４０が掛け渡される。コイルばね４０は、上部ケース３２の下面に取り付けたピン４１と、ベース３５の下面に取り付けたピン４２との間に掛け渡される。また上部ケース３２の下面には、ベース３５のスライド運動を制限するストッパ４３が取り付けられる。
【００３６】
図９及び図１０は、組み立てた状態の引込み装置１８を示す。図９は、フック３６のケース側係合部３６ａが上部ケース３２の孔部３２ａに引っ掛かったロック状態を示し、図１０は、フック３６のケース側係合部３６ａが上部ケース３２から外れた状態を示す。これらの図９及び図１０において、図中の（Ａ）は引込み装置１８の平面図を示し、（Ｂ）はＢ−Ｂ線断面図を示し、（Ｃ）は下部ケース３１を取り外した引込み装置１８の底面図を示す。図９に示されるように、フック３６のケース側係合部３６ａが上部ケース３２に引っ掛かったときは、コイルばね４０のばね力に抗して、ロック機構３４は上部ケース３２に対してスライドすることはない。ねじりばね３８は、フック３６のケース側係合部３６ａが上部ケース３２に引っ掛かった状態を保たせる。
【００３７】
一方図１０に示されるように、ねじりばね３８のばね力に抗してフック３６のケース側係合部３６ａの上部ケース３２の孔部３２ａへの引っ掛かりが外れると、コイルばね４０が縮もうとする力によって、ロック機構３４が上部ケース３２に対してスライドする。ロック機構３４は、ストッパ４３に当接するまで上部ケース３２の奥の方までスライドする。
【００３８】
図１１は、ロック機構３４がロックした状態の引込み装置１８の斜視図を示す。図中（Ａ）は走行体７がない場合を示し、図中（Ｂ）は走行体７がある場合を示す。内部を見やすくするために下部ケース３１は取り外されている。走行体７がロック機構３４から離間しているときは、フック３６のケース側係合部３６ａが上部ケース３２に係合する。よって、ロック機構３４はロックした状態になる。ロック機構３４のロックした状態は、図中（Ｂ）に示されるように、走行体７がロック機構３４に接近し、走行体７の本体部９がフック３６の当接片３６ｃに当接するまで続く。
【００３９】
図１２は、ロック機構３４が引き込まれた状態の引込み装置１８の斜視図を示す。図中（Ａ）は走行体７がない場合を示し、図中（Ｂ）は走行体７がある場合を示す。走行体７の本体部がフック３６の当接片３６ｃに当接すると、フック３６がねじりばね３８のばね力に抗して回転し、フック３６のケース側係合部３６ａと上部ケース３２との引っ掛かりが外れる。するとコイルばね４０のばね力によってロック機構３４が上部ケース３２の奥の方に引き込まれる。このとき図中（Ｂ）に示されるように、フック３６の走行体側係合部３６ｂが走行体７の本体部９に引っ掛かり、ロック機構３４と共に走行体７も上部ケース３２の奥の方に引き込まれる。
【００４０】
図１３は、ロック機構３４に引き込まれる走行体７の詳細図を示す。上述したように、走行体７は、垂直方向に伸びる主軸８と、主軸８に対して水平面内で旋回可能な箱形状の本体部９と、本体部９の左右両側に設けられる一対の戸車１０と、主軸８を挟んで本体部９の引込み方向の両端部に取り付けられる一対の案内ローラ２４と、で構成される。戸車１０に取り付けられるブラケット４，５の突出片４ａ，５ａには、中央部が盛り上がった主軸支持プレート４２が取り付けられる。主軸支持プレート４２の中央部には、主軸が挿入される位置決め溝４２ａ（図３参照）が加工される。主軸８を位置決め溝４２ａに挿入した後、主軸８の下端の頭部８ａとフランジ部８ｂとの間で主軸支持プレート４２を挟むことで、主軸８が主軸支持プレート４２に固定される。主軸支持プレート４２に対する主軸８の高さを調整することで、戸車１０の高さを調整することができる。主軸８が位置決め溝４２ａから抜け出すのを防止するために、主軸支持プレート４２と突出片４ａ，５ａとの間には、抜け防止部材４３（図３参照）が挿入される。主軸８は走行体案内溝１８ａから垂直下方に突出する。主軸にはブラケット４，５を介して引戸３が取り付けられる。引戸３の重量は戸車１０によって支持される。
【００４１】
図１４に示されるように、本体部９の側面形状は略矩形状である。本体部９の上部の引込み方向の長さは下部の引込み方向の長さよりも僅かに狭められていて、戸車１０の直径よりも僅かに大きい。この本体部９の上部にフック３６の走行体側係合部３６ｂが引っ掛かる。本体部の左右方向（引込み方向と直交する方向）の両側には、一対の戸車１０が回転可能に取り付けられている。左右一対の戸車１０の回転軸線Ｃは一致すると共に、水平方向に伸びる。ここで、フック３６の走行体側係合部３６ｂは、一対の戸車１０の回転軸線Ｃよりも戸開き側の本体部９に引っ掛かる。フック３６の当接片３６ｃは、戸締り側の本体部９の端部に当接する。フック３６の走行体側係合部３６ｂが本体部９に引っ掛かった状態において、フック３６は本体部９の上方に配置される。
【００４２】
図１５は、引戸を閉じるときのロック機構３４及び走行体７の動作図を示す。引戸を閉じるのに伴って走行体７が引込み装置１８内に入り、走行体７の本体部９がフック３６の当接片３６ｃに当接すると、フック３６が回転する。フック３６の回転によって、フック３６のケース側係合部３６ａと上部ケース３２との引っ掛かりが外れる。その一方、フック３６の走行体側係合部３６ｂが走行体７の本体部９に引っ掛かる（Ｓ１）。
【００４３】
フック３６のケース側係合部３６ａと上部ケース３２との引っ掛かりが外れると、コイルばね４０のばね力によってロック機構３４が引込み装置１８の奥の方に引き込まれる。フック３６の走行体側係合部３６ｂは走行体７の本体部９に引っ掛かっているので、ロック機構３４と共に走行体７も引込み装置１８の奥の方に引き込まれる（Ｓ２）。
【００４４】
コイルばね４０は、走行体７の本体部９がストッパ４３に当接するまで走行体７を引き込むことができる。しかし、走行体７の本体部９がストッパ４３に当接する前に、引戸３が枠体１の戸締り側の端部に当接するので、引戸３が閉じた状態が保たれる（Ｓ３）。
【００４５】
なお、図７に示されるように、引戸３を壁２の壁面に対してフラットに閉じようとすると、引戸３を直線案内溝２５に沿って移動させた後、傾斜した走行体案内溝１８ａに沿って斜めに移動させる必要がある。走行体７が直線案内溝２５から傾斜した走行体案内溝１８ａに移動するとき、引戸３を閉じようとする勢いが弱まる。本実施形態によれば、引込み装置１８が強制的に引戸３を戸締り側の端部まで引き込むので、引戸３を戸締り側の端部まで確実に移動させることができる。
【００４６】
図１６は、閉じた状態の引戸を開くときのロック機構３４及び走行体７の動作を示す。閉じた状態の引戸３を開けるとき、走行体７の移動に連動してロック機構３４がコイルばね４０のばね力に抗して移動する（Ｓ１，Ｓ２）。
【００４７】
フック３６のケース側係合部３６ａが上部ケース３２の孔部３２ａまで移動すると、ねじりばね３８のばね力によって、フック３６が回転し、フック３６のケース側係合部３６ａが上部ケース３２の孔部３２ａに引っ掛かる（Ｓ３，Ｓ４）。フック３６のケース側係合部３６ａと上部ケース３２の孔部３２ａとの引っ掛かりは、ねじりばね３８のばね力によって保たれる。これにより、ロック機構３４がロックした状態になる。
【００４８】
そして、フック３６が回転することで、フック３６の走行体側係合部３６ｂと走行体７の本体部９との引っ掛かりが外れる。これにより、走行体７の本体部９がロック機構３４からフリーな状態になり、ロックされた状態のロック機構３４から走行体７を離間させることができる（Ｓ５）。
【００４９】
なお、本発明は上記実施形態の限られることなく、本発明の要旨を変更しない範囲で様々に変更可能である。例えば上記実施形態においては、走行体７の本体部９の左右の側面それぞれに一つの戸車１０を設けているが、図１７（Ａ）に示されるように、本体部９の左右の側面それぞれに二つの戸車１０を設けてもよい。そして、戸開き側の一対の戸車１０の回転軸線１を共通にし、戸締り側の一対の戸車１０の回転軸線２を共通にしてもよい。この場合、回転軸線２よりも戸開き側の本体部９に走行体係合部３６ａが引っ掛かればよい。さらに図１７（Ｂ）に示されるように、本体部９の左右の側面のうち、一方の側面に二つの戸車１０を設け、他方の側面に一つの戸車１０を設けてもよい。この例の走行体７において、回転軸線３は最も戸締り側に位置する戸車１０の回転軸線であり、回転軸線２は中間の戸車１０の回転軸線であり、回転軸線１は最も戸開き側に位置する戸車１０の回転軸線である。この場合、回転軸線３よりも戸開き側の本体部９に走行体係合部３６ｂが引っ掛かればよい。
【００５０】
さらに、壁と引戸とを組み合わせて引戸装置を構成する替わりに、二枚の開閉可能な引戸を隣接して組み合わせて引戸装置を構成してもよい。
【図面の簡単な説明】
【００５１】
【図１】本発明の一実施形態における引戸装置の斜視図（表からみた状態）
【図２】上記引戸装置の斜視図（裏からみた状態）
【図３】引戸の斜視図（走行体及び案内体の拡大図を含む）
【図４】枠体に取り付けられる案内レール及び引込み装置の斜視図（裏からみた状態）
【図５】引戸の垂直断面図
【図６】引戸の上部の垂直断面図
【図７】引戸の動作を時系列で示した水平断面図
【図８】引込み装置の分解斜視図
【図９】組み立てた状態の引込み装置を示す図（図中（Ａ）は平面図を示し、図中（Ｂ）はＢ−Ｂ線断面図を示し、図中（Ｃ）は底面図を示す）
【図１０】組み立てた状態の引込み装置を示す図（図中（Ａ）は平面図を示し、図中（Ｂ）はＢ−Ｂ線断面図を示し、図中（Ｃ）は底面図を示す）
【図１１】ロック機構がロックした状態の引込み装置の斜視図（図中（Ａ）は走行体がない場合を示し、図中（Ｂ）は走行体がある場合を示す）
【図１２】ロック機構が引き込まれた状態の引込み装置の斜視図（図中（Ａ）は走行体がない場合を示し、図中（Ｂ）は走行体がある場合を示す）
【図１３】ロック機構及び走行体の詳細斜視図
【図１４】ロック機構及び走行体の詳細断面図
【図１５】引戸を閉じるときのロック機構及び走行体の動作図
【図１６】引戸を開くときのロック機構及び走行体の動作図
【図１７】走行体の他の例を示す水平断面図（図中（Ａ）は四輪の場合を示し、図中（Ｂ）は三輪の場合を示す）。
【図１８】従来の引込み装置の側面図
【図１９】図１８の引込み装置を引込み方向からみた図
【図２０】従来の引込み装置の他の例を示す側面図
【図２１】図２０の引込み装置の動作図
【符号の説明】
【００５２】
１…枠体
２…壁
３…引戸
４，５…ブラケット
７…走行体
９…本体部
１０…戸車
１５ａ，１５ｂ…直線レール
１８…引込み装置
１８ａ…走行体案内溝（走行体案内部）
２４…案内ローラ
２５…直線案内溝
３１…下部ケース（ケース）
３２…上部ケース（ケース）
３２ａ…孔部
３３…ロック機構案内溝（ロック機構案内部）
３４…ロック機構
３５…ベース
３６…フック
３６ａ…ケース側係合部
３６ｂ…走行体側係合部
３６ｃ…当接片
４０…コイルばね（弾性体）
Ｃ…回転軸線
【図１】
2008285942.tif 000003
【図２】
2008285942.tif 000004
【図３】
2008285942.tif 000005
【図４】
2008285942.tif 000006
【図５】
2008285942.tif 000007
【図６】
2008285942.tif 000008
【図７】
2008285942.tif 000009
【図８】
2008285942.tif 000010
【図９】
2008285942.tif 000011
【図１０】
2008285942.tif 000012
【図１１】
2008285942.tif 000013
【図１２】
2008285942.tif 000014
【図１３】
2008285942.tif 000015
【図１４】
2008285942.tif 000016
【図１５】
2008285942.tif 000017
【図１６】
2008285942.tif 000018
【図１７】
2008285942.tif 000019
【図１８】
2008285942.tif 000020
【図１９】
2008285942.tif 000021
【図２０】
2008285942.tif 000022
【図２１】
2008285942.tif 000023